【手続補正書】
【提出日】平成17年1月11日(2005.1.11)
【手続補正１】
【補正対象書類名】特許請求の範囲
【補正対象項目名】全文
【補正方法】変更
【補正の内容】
【特許請求の範囲】
【請求項１】
バッファから入力データを受け取る複数の書き込みヘッドを使用する記憶装置において、
第１の回転速度または第２の回転速度のいずれかで動作するように構成されたディスクドライブと、
前記ディスクドライブに結合され、前記ディスクドライブを制御して第１の回転速度または第２の回転速度のいずれかで動作させるように構成され、前記複数の書き込みヘッドの数と等しい多数の部分に前記入力データを分割するように構成されたプロセッサとを具備する記憶装置。
【請求項２】
前記ディスクドライブは、１つの読み出しヘッドと複数の書き込みヘッドとを含むヘッドアセンブリを備えている請求項１記載の記憶装置。
【請求項３】
マルチメディアデータオブジェクトを記憶するディスクドライブにおいて、
磁気ディスクと、
少なくとも１つの個々に選択可能な読み出しディスク速度と、
少なくとも１つの個々に選択可能な書き込みディスク速度と、
前記マルチメディアオブジェクトデータを前記ディスクに書き込む複数の書き込みヘッドと、
前記マルチメディアオブジェクトデータを前記ディスクから読み出す１つの読み出しヘッドと、
前記複数の書き込みヘッドの数と等しい多数の部分に前記オブジェクトデータを分割する制御マイクロプロセッサとを具備し、
前記書き込みディスク速度は前記読み出しディスク速度よりも速いディスクドライブ。
【請求項４】
前記ディスク速度は制御マイクロプロセッサによって選択される請求項３記載のディスクドライブ。
【請求項５】
前記読み出しディスク速度は毎分約１０００回転である請求項３記載のディスクドライブ。
【請求項６】
前記書き込みディスク速度は毎分約７０００回転である請求項３記載のディスクドライブ。
【請求項７】
前記磁気ディスクは同心トラックでフォーマットされている請求項３記載のディスクドライブ。
【請求項８】
前記複数の書き込みヘッドは同心トラック間隔の倍数だけ離隔されている請求項７記載のディスクドライブ。
【請求項９】
前記データ書き込みはすべてのトラックになされる請求項７記載のディスクドライブ。
【請求項１０】
前記データ書き込みは前記複数の書き込みヘッドの位置が所望のトラック上で安定するとすぐに開始する請求項７記載のディスクドライブ。
【請求項１１】
第１の読み出し速度および第２の書き込み速度で動作し、マルチメディアデータオブジェクトを記憶する可変モードディスクドライブにおいて、
前記ディスクドライブが書き込みモードで動作する間に入力データをバッファに供給し、前記ディスクドライブが読み出しモードで動作する間に出力データをバッファから転送させるバスインターフェースと、
１つの読み出しヘッドと複数の書き込みヘッドとを磁気ディスク上に位置決めするスライダ機構と、
前記磁気ディスクへおよび前記磁気ディスクから転送するためにデータを処理する読み出しおよび書き込み電子機器と、
前記磁気ディスクの回転速度を制御し、前記複数の書き込みヘッドの数と等しい多数の部分に前記入力データを分割するプロセッサとを具備する可変モードディスクドライブ。
【請求項１２】
前記バスインターフェースはパーソナルコンピュータメモリーカードインターナショナルアソシエーションのバスインターフェースである請求項１１記載のディスクドライブ。
【請求項１３】
前記バスインターフェースはアドバンスドテクノロジのバスインターフェースである請求項１１記載のディスクドライブ。
【請求項１４】
前記バスインターフェースはスモールコンピュータシステムインターフェースのバスインターフェースである請求項１１記載のディスクドライブ。
【請求項１５】
前記バスインターフェースはユニバーサルシリアルバスのバスインターフェースである請求項１１記載のディスクドライブ。
【請求項１６】
前記バスインターフェースはインターラクティブサービスアソシエーションのバスインターフェースである請求項１１記載のディスクドライブ。
【請求項１７】
前記バスインターフェースはファイヤーワイヤのバスインターフェースである請求項１１記載のディスクドライブ。
【請求項１８】
前記バスインターフェースはペリフェラルコンポーネントインターコネクトのバスインターフェースである請求項１１記載のディスクドライブ。
【請求項１９】
前記読み出しおよび書き込み電子機器は前記書き込みモードの間に前記複数の書き込みヘッドによる前記磁気ディスクへの同時書き込みのために前記入力データをフォーマットする請求項１１記載のディスクドライブ。
【請求項２０】
前記読み出しおよび書き込み電子機器はマルチメディアストリームを生成するために出力データをフォーマットする請求項１１記載のディスクドライブ。
【請求項２１】
前記磁気ディスクは１ギガバイトから１０ギガバイトの容量を有する請求項１１記載のディスクドライブ。
【請求項２２】
複数の書き込みヘッドを有するディスクドライブにデータを記憶する方法において、
前記ディスクドライブが読み出しのための第１の回転速度で動作するように構成し、
前記ディスクドライブが書き込みのための第２の回転速度で動作するように構成し、
前記ディスクドライブが入力データを受け取るように構成し、
前記ディスクドライブが使用される書き込みヘッドの数と等しい多数の部分に前記入力データを分割するように構成することを含み、
前記書き込みのための回転速度は前記読み出しのための回転速度よりも速い方法。
【請求項２３】
ディスク速度は制御マイクロプロセッサによって選択される請求項２２記載の方法。
【請求項２４】
読み出しのためのディスク速度は毎分約１０００回転である請求項２２記載の方法。
【請求項２５】
書き込みのためのディスク速度は毎分約７０００回転である請求項２２記載の方法。
【請求項２６】
前記ディスクドライブは１ギガバイトから１０ギガバイトの容量を有する請求項２２記載の方法。
【請求項２７】
少なくとも１つの読み出しディスク速度と少なくとも１つの書き込みディスク速度とを有するディスクドライブにデータを記憶し、前記書き込み速度は前記読み出し速度よりも速い方法において、
バスインターフェースからデータを受け取り、
複数の書き込みヘッドによるディスクへの同時書き込みのために前記受け取ったデータを処理し、
高速の書き込み速度でディスクを回転させ、
前記複数の書き込みヘッドを同時に使用して、前記処理されたデータを前記ディスクに書き込むことを含み、
前記受け取ったデータの処理は前記複数の書き込みヘッドの数と等しい多数の部分に前記データを分割することを含む方法。
【請求項２８】
前記ディスク速度は制御マイクロプロセッサによって選択される請求項２７記載の方法。
【請求項２９】
前記読み出しディスク速度は毎分約１０００回転である請求項２７記載の方法。
【請求項３０】
前記書き込みディスク速度は毎分約７０００回転である請求項２７記載の方法。
【請求項３１】
前記ディスクドライブは同心トラックでフォーマットされている請求項２７記載の方法。
【請求項３２】
前記複数の書き込みヘッドは同心トラック間隔の倍数だけ離隔されている請求項２７記載の方法。
【請求項３３】
前記データ書き込みはすべてのトラックになされる請求項２７記載の方法。
【請求項３４】
前記データ書き込みは前記複数の書き込みヘッドの位置が所望のトラック上で安定するとすぐに開始する請求項２７記載の方法。
【請求項３５】
前記ディスクドライブは１ギガバイトから１０ギガバイトの容量を有する請求項２７記載の方法。
【請求項３６】
前記バスインターフェースはパーソナルコンピュータメモリーカードインターナショナルアソシエーションのバスインターフェースである請求項２７記載の方法。
【請求項３７】
前記バスインターフェースはアドバンスドテクノロジのバスインターフェースである請求項２７記載の方法。
【請求項３８】
前記バスインターフェースはスモールコンピュータシステムインターフェースのバスインターフェースである請求項２７記載の方法。
【請求項３９】
前記バスインターフェースはユニバーサルシリアルバスのバスインターフェースである請求項２７記載の方法。
【請求項４０】
前記バスインターフェースはインターラクティブサービスアソシエーションのバスインターフェースである請求項２７記載の方法。
【請求項４１】
前記バスインターフェースはファイヤーワイヤのバスインターフェースである請求項２７記載の方法。
【請求項４２】
前記バスインターフェースはペリフェラルコンポーネントインターコネクトのバスインターフェースである請求項２７記載の方法。
【請求項４３】
少なくとも１つの読み出しディスク速度と少なくとも１つの書き込みディスク速度とを有するディスクドライブからデータを取り出し、前記書き込み速度は前記読み出し速度よりも速い方法において、
低速の読み出し速度でディスクを回転させ、
前記ディスクドライブからデータを読み出し、
前記データを処理してマルチメディアデータストリームを生成し、
前記データストリームをバスインターフェースへ供給し、
使用される書き込みヘッドの数と等しい多数の部分に前記データストリームを分割することを含む方法。
【請求項４４】
前記ディスク速度は制御マイクロプロセッサによって選択される請求項４３記載の方法。
【請求項４５】
前記読み出しディスク速度は毎分約１０００回転である請求項４３記載の方法。
【請求項４６】
前記書き込みディスク速度は毎分約７０００回転である請求項４３記載の方法。
【請求項４７】
前記ディスクドライブは同心トラックでフォーマットされている請求項４３記載の方法。
【請求項４８】
前記ディスクドライブは１ギガバイトから１０ギガバイトの容量を有する請求項４３記載の方法。
【請求項４９】
前記バスインターフェースはパーソナルコンピュータメモリーカードインターナショナルアソシエーションのバスインターフェースである請求項４３記載の方法。
【請求項５０】
前記バスインターフェースはアドバンスドテクノロジのバスインターフェースである請求項４３記載の方法。
【請求項５１】
前記バスインターフェースはスモールコンピュータシステムインターフェースのバスインターフェースである請求項４３記載の方法。
【請求項５２】
前記バスインターフェースはユニバーサルシリアルバスのバスインターフェースである請求項４３記載の方法。
【請求項５３】
前記バスインターフェースはインターラクティブサービスアソシエーションのバスインターフェースである請求項４３記載の方法。
【請求項５４】
前記バスインターフェースはファイヤーワイヤのバスインターフェースである請求項４３記載の方法。
【請求項５５】
前記バスインターフェースはペリフェラルコンポーネントインターコネクトのバスインターフェースである請求項４３記載の方法。
【請求項５６】
１つの読み出しヘッドと複数の書き込みヘッドとを有し、複数の回転速度で動作するように構成されたディスクドライブと、
前記ディスクドライブに結合され、入力データを受け取り、使用される書き込みヘッドの数と等しい多数の部分に前記受け取った入力データを分割し、前記複数の書き込みヘッドを使用して前記分割されたデータを同時に書き込むように構成されたプロセッサとを具備する記憶装置。
【請求項５７】
前記複数の回転速度は第１の回転速度と第２の回転速度を含み、前記第２の回転速度に対する前記第１の回転速度の比は１対７である請求項５６記載の記憶装置。
【請求項５８】
前記複数の書き込みヘッドはトラック間隔の倍数だけ離隔されている請求項５６記載の記憶装置。
【請求項５９】
前記複数の書き込みヘッドはマルチメディアオブジェクトデータをディスクに書き込み、
前記マルチメディアオブジェクトデータは、前記複数の書き込みヘッドによる並列書き込みための書き込み時にフォーマットされてもよい請求項５６記載の記憶装置。
【請求項６０】
マルチメディアオブジェクトデータを第１の装置に書き込む方法において、
読み出し速度よりも速い高速書き込み速度で第１の装置を回転させ、
読み出しヘッドから前記マルチメディアオブジェクトデータを読み出し、
前記マルチメディアオブジェクトデータを複数の書き込みヘッドに書き込み、
前記複数の書き込みヘッドによる並列書き込み時に使用される書き込みヘッドの数に基づいて、前記マルチメディアオブジェクトデータをフォーマットすることを含む方法。
【請求項６１】
１つの読み出しヘッドと複数の書き込みヘッドとを有し、複数の回転速度でディスクを動作させるように構成された記憶装置において、
前記記憶装置に結合され、受け取ったデータを処理し、使用される書き込みヘッドの数と等しい多数の部分に前記受け取った入力データを分割するように構成されたプロセッサを具備する記憶装置。
【請求項６２】
前記プロセッサは、ディスクドライブに結合され、前記ディスクドライブを制御して、第１の回転速度または第２の回転速度のいずれかで動作させるように構成されている請求項６１記載の記憶装置。
【請求項６３】
前記第１の回転速度は前記第２の回転速度よりも速く、前記第２の回転速度に対する前記第１の回転速度の比は１対７である請求項６１記載の記憶装置。
【手続補正２】
【補正対象書類名】明細書
【補正対象項目名】０００４
【補正方法】変更
【補正の内容】
【０００４】
技術的に知られているディスクドライブは一定の速度で回転する。一般的な速度は毎分５４００回転（ｒｐｍ）、７２００ｒｐｍ、１０，０００ｒｐｍおよび１５，０００ｒｐｍである。非常に小さなディスクドライブはより遅く、約３６００ｒｐｍで回転する。したがって、複数の動作モードを備え、マルチメディアデータオブジェクトを記憶および取り出すための個々に選択可能な読み出しおよび書き込み速度を提供するディスクドライブへの技術的な必要性がある。